(57)【要約】【課題】適切なビーム制御を実現しつつ、低コスト化が可能なアンテナシステムを提供する。【解決手段】  アンテナシステム１０は、複数のアンテナ素子を備えている。また、アンテナシステム１０は、デジタルのベースバンド信号の位相調整を行う第１位相調整部４３と、位相調整が行われたデジタルのベースバンド信号をアナログ信号に変換するＤ／Ａ変換部２１と、Ｄ／Ａ変換部２１から出力されるアナログ信号の振幅調整を行う可変利得増幅器２３と、前記アナログ信号を前記複数のアンテナ素子から送信することによって形成されるビームが所定形状となるように、第１位相調整部４３による位相調整量及び可変利得増幅器２３による振幅調整量を制御する制御部４５とを備えている。【選択図】図３
2015186031.tif 000002
【特許請求の範囲】
【請求項１】
複数のアンテナ素子を備えたアンテナシステムであって、
デジタル信号の位相調整を行う位相調整部と、
前記位相調整が行われた前記デジタル信号をアナログ信号に変換するＤ／Ａ変換部と、
前記Ｄ／Ａ変換部から出力されるアナログ信号の振幅調整を行う振幅調整部と、
前記アナログ信号を前記複数のアンテナ素子から送信することによって形成されるビームが所定形状となるように、前記位相調整部による位相調整量及び前記振幅調整部による振幅調整量を制御する制御部と、を備えているアンテナシステム。
【請求項２】
複数のアンテナ素子を備えたアンテナシステムの制御装置であって、
デジタル信号の位相調整を行う位相調整部と、
前記位相調整が行われた前記デジタル信号をＤ／Ａ変換することによって得られるアナログ信号に対して振幅調整を行う振幅調整部と、
前記アナログ信号を前記複数のアンテナ素子から送信することによって形成されるビームが所定形状となるように、前記位相調整部による位相調整量及び前記振幅調整部による振幅調整量を制御する制御部と、を備えている制御装置。
【請求項３】
複数のアンテナ素子を備えたアンテナシステムの制御をコンピュータに実行させるためのコンピュータプログラムであって、
コンピュータに
デジタル信号の位相調整を行う位相調整ステップと、
前記位相調整が行われた前記デジタル信号をＤ／Ａ変換することによって得られるアナログ信号に対して振幅調整を行う振幅調整ステップと、
前記アナログ信号を前記複数のアンテナ素子から送信することによって形成されるビームが所定形状となるように、前記位相調整ステップによる位相調整量及び前記振幅調整ステップによる振幅調整量を制御する制御ステップと、を実行させるためのコンピュータプログラム。
【発明の詳細な説明】
【技術分野】
【０００１】
本発明は、無線通信システムの基地局装置等に用いられるアンテナシステム、制御装置、及びコンピュータプログラムに関するものである。
【背景技術】
【０００２】
近年、携帯電話等に用いられる無線通信システムにおいては、スマートフォン等の普及により、通信エリアの拡大や通信容量の拡張に対する要求が高まっている中、高周波送受信機の機能を内蔵したアクティブアンテナシステムの基地局装置への利用が提案されている（例えば、特許文献１参照）。
【先行技術文献】
【特許文献】
【０００３】
【特許文献１】特表２００９−５４４２０５
【発明の概要】
【発明が解決しようとする課題】
【０００４】
上記アクティブアンテナシステムは、複数のアンテナ素子と、複数のアンテナ素子ごとに接続された高周波送受信機としての機能を有するデジタルマイクロ無線機とを備えている。
【０００５】
上記アクティブアンテナシステムには、デジタルの送信信号が与えられ、各デジタルマイクロ無線機が送信信号の位相と振幅とをデジタル信号処理によって調整、制御することで、複数のアンテナ素子によるビームフォーミングが可能となっている。
【０００６】
しかし、上記アクティブアンテナシステムでは、送信信号の位相と振幅とをデジタル信号処理によって調整するために、デジタル信号処理を実行するプロセッサや、デジタル／アナログ変換器のコストが比較的高くなるという問題を有している。
【０００７】
本発明はこのような事情に鑑みてなされたものであり、適切なビーム制御を実現しつつ、低コスト化が可能なアンテナシステム、制御装置、及びコンピュータプログラムを提供することを目的とする。
【課題を解決するための手段】
【０００８】
本発明は、複数のアンテナ素子を備えたアンテナシステムであって、デジタル信号の位相調整を行う位相調整部と、前記位相調整が行われた前記デジタル信号をアナログ信号に変換するＤ／Ａ変換部と、前記Ｄ／Ａ変換部から出力されるアナログ信号の振幅調整を行う振幅調整部と、前記振幅調整が行われた前記アナログ信号を前記複数のアンテナから送信する無線送信部と、前記アナログ信号を前記複数のアンテナ素子から送信することによって形成されるビームが所定形状となるように、前記位相調整部による位相調整量及び前記振幅調整部による振幅調整量を制御する制御部と、を備えている。
【０００９】
また、本発明は、複数のアンテナ素子を備えたアンテナシステムの制御装置であって、デジタル信号の位相調整を行う位相調整部と、前記位相調整が行われた前記デジタル信号をＤ／Ａ変換することによって得られる前記複数のアンテナ素子から送信するためのアナログ信号に対して振幅調整を行う振幅調整部と、前記アナログ信号を前記複数のアンテナ素子から送信することによって形成されるビームが所定形状となるように、前記位相調整部による位相調整量及び前記振幅調整部による振幅調整量を制御する制御部と、を備えている。
【００１０】
また、本発明は、複数のアンテナ素子を備えたアンテナシステムの制御をコンピュータに実行させるためのコンピュータプログラムであって、コンピュータにデジタル信号の位相調整を行う位相調整ステップと、前記位相調整が行われた前記デジタル信号をＤ／Ａ変換することによって得られる前記複数のアンテナ素子から送信するためのアナログ信号に対して振幅調整を行う振幅調整ステップと、前記アナログ信号を前記複数のアンテナ素子から送信することによって形成されるビームが所定形状となるように、前記位相調整ステップによる位相調整量及び前記振幅調整ステップによる振幅調整量を制御する制御ステップと、を実行させるためのコンピュータプログラムである。
【発明の効果】
【００１１】
本発明のアンテナシステム、制御装置、及びコンピュータプログラムによれば、適切なビーム制御を実現しつつ、低コスト化が可能となる。
【図面の簡単な説明】
【００１２】
【図１】実施形態に係るアンテナシステムを備えた無線基地局装置を示すブロック図である。
【図２】アンテナシステムのアナログ信号処理部の構成を示すブロック図である。
【図３】デジタル信号処理部の構成を示すブロック図である。
【図４】変形例に係るアンテナシステムのアナログ信号処理部の構成を示すブロック図である。
【発明を実施するための形態】
【００１３】
［本願発明の実施形態の説明］
上記アクティブアンテナシステムでは、送信信号の位相と振幅とをデジタル信号処理によって調整するため、ビームフォーミング等に対する制御性が優れているという利点がある。
しかし、送信信号の位相と振幅とをデジタル信号処理によって調整するためには、デジタル信号処理を実行するためのプロセッサや、デジタルの送信信号をアナログの送信信号に変換するためのデジタル／アナログ変換器に対する要求性能が高くなり、コスト増加を招くという問題を有している。
【００１４】
特に、デジタル信号処理によって送信信号の振幅を制御するためには、ダイナミックレンジを十分に確保するために、よりビット数の大きいデジタル／アナログ変換器を用いる必要があり、これが、送受信機のコストを増加させる一因となっていた。
【００１５】
ここで、デジタル信号処理による振幅制御を行わず、位相制御のみでビームフォーミングを制御することも可能である。この場合、送信信号の振幅をデジタル信号処理によって調整するときのようにビット数の大きいデジタル／アナログ変換器を用いる必要がないので、コストの増加を抑制することはできる。
【００１６】
その一方、振幅制御を行わないことによってメインのビームに対してサイドローブのレベルが高くなる場合があり、適切なビーム制御が困難になるおそれが生じる。
本願発明者らは、この点に着目して本願発明を完成させた。
【００１７】
まず最初に本願発明の実施形態の内容を列記して説明する。
（１）本発明は、複数のアンテナ素子を備えたアンテナシステムであって、デジタル信号の位相調整を行う位相調整部と、前記位相調整が行われた前記デジタル信号をアナログ信号に変換するＤ／Ａ変換部と、前記Ｄ／Ａ変換部から出力されるアナログ信号の振幅調整を行う振幅調整部と、前記振幅調整が行われた前記アナログ信号を前記複数のアンテナから送信する無線送信部と、前記アナログ信号を前記複数のアンテナ素子から送信することによって形成されるビームが所定形状となるように、前記位相調整部による位相調整量及び前記振幅調整部による振幅調整量を制御する制御部と、を備えている。
【００１８】
上記のように構成されたアンテナシステムによれば、Ｄ／Ａ変換部によってデジタル信号からアナログ信号に変換された後の当該アナログ信号に対して振幅調整を行うので、振幅調整をデジタル信号処理で行った場合のように、ダイナミックレンジを広く確保するためにビット数のより大きなＤ／Ａ変換部を用いる必要がない。このため、振幅調整をデジタル信号処理によって行う場合と比較してより小さいビット数のＤ／Ａ変換部を用いることができ、この結果、低コスト化が可能となる。
また、上記アンテナシステムは、振幅調整部を備えていることから振幅制御を行うことでサイドローブを抑圧することができ、適切なビーム制御を行うことができる。
以上のように、上記アンテナシステムによれば、適切なビーム制御を実現しつつ、低コスト化が可能となる。
【００１９】
（２）また、本発明は、複数のアンテナ素子を備えたアンテナシステムの制御装置であって、デジタル信号の位相調整を行う位相調整部と、前記位相調整が行われた前記デジタル信号をＤ／Ａ変換することによって得られる前記複数のアンテナ素子から送信するためのアナログ信号に対して振幅調整を行う振幅調整部と、前記アナログ信号を前記複数のアンテナ素子から送信することによって形成されるビームが所定形状となるように、前記位相調整部による位相調整量及び前記振幅調整部による振幅調整量を制御する制御部と、を備えている。
【００２０】
（３）本発明は、複数のアンテナ素子を備えたアンテナシステムの制御をコンピュータに実行させるためのコンピュータプログラムであって、コンピュータにデジタル信号の位相調整を行う位相調整ステップと、前記位相調整が行われた前記デジタル信号をＤ／Ａ変換することによって得られる前記複数のアンテナ素子から送信するためのアナログ信号に対して振幅調整を行う振幅調整ステップと、前記アナログ信号を前記複数のアンテナ素子から送信することによって形成されるビームが所定形状となるように、前記位相調整ステップによる位相調整量及び前記振幅調整ステップによる振幅調整量を制御する制御ステップと、を実行させるためのコンピュータプログラムである。
【００２１】
上記構成の制御装置及びコンピュータプログラムによれば、適切なビーム制御を実現しつつ、低コスト化が可能となる。
【００２２】
［本願発明の実施形態の詳細］
以下、好ましい実施形態について図面を参照しつつ説明する。
図１は、実施形態に係るアンテナシステムを備えた無線基地局装置を示すブロック図である。図中、無線基地局装置１は、基地局本体２と、基地局本体２に信号伝送路（光伝送路又は電気伝送路）３を介して接続されたアンテナシステム１０とを備えている。
【００２３】
基地局本体２は、ベースバンド信号を処理するベースバンド信号処理部４と、信号伝送路３によってベースバンド信号を伝送するためのインターフェース部（ＩＦ部）５とを備えている。
ＩＦ部５は、ベースバンド信号処理部４とアンテナシステム１０との間で授受される各種信号を信号伝送路３を介して伝送する機能を有している。
ベースバンド信号処理部４は、デジタル変復調処理等のデジタルのベースバンド信号を処理する機能を有しており、ベースバンド信号（送信信号）をアンテナシステム１０に与えるとともに、アンテナシステム１０から与えられるベースバンド信号（受信信号）を取得する。
【００２４】
アンテナシステム１０は、信号伝送路３によってベースバンド信号を伝送するためのインターフェース部（ＩＦ部）１１と、デジタル信号処理部１２と、複数のアンテナ素子１４を有するアナログ信号処理部１３とを備えている。
ＩＦ部１１は、デジタル信号処理部１２と基地局本体２との間で授受される各種信号を信号伝送路３を介して伝送する機能を有している。
デジタル信号処理部１２は、ベースバンド信号処理部４から与えられたデジタルのベースバンド信号に対して、ＤＰＤ（Ｄｉｇｉｔａｌ  Ｐｒｅ−ｄｉｓｔｏｒｔｉｏｎ）、ＣＦＲ（Ｃｒｅｓｔ  Ｆａｃｔｏｒ  Ｒｅｄｕｃｔｉｏｎ）などの様々なデジタル信号処理を施す機能を有している。
また、デジタル信号処理部１２は、後述するように、ベースバンド信号の位相を調整する機能も有している。
デジタル信号処理部１２は、上述の各種デジタル信号処理及び位相調整を行ったデジタルのベースバンド信号（送信信号）をアナログ信号処理部１３に与える。
【００２５】
また、デジタル信号処理部１２には、アンテナ素子１４が受信した受信信号を変換することで得られるデジタルのベースバンド信号がアナログ信号処理部１３から与えられる。デジタル信号処理部１２は、アナログ信号処理部１３から与えられたベースバンド信号に対して位相調整を行い、そのデジタルのベースバンド信号（受信信号）を基地局本体２のベースバンド信号処理部４に与える。
【００２６】
図２は、アンテナシステム１０のアナログ信号処理部１３の構成を示すブロック図である。
図に示すように、アナログ信号処理部１３は、複数のアンテナ素子１４それぞれに接続されている無線送受信部２０を備えている。
以下、一の無線送受信部２０について説明するが、他の無線送受信部２０についても、基本的に同じ構成である。
【００２７】
無線送受信部２０は、アンテナ素子１４によって無線周波数の信号を送受信する機能を有している。
無線送受信部２０は、デジタル信号処理部１２から与えられるベースバンド信号をデジタル／アナログ変換するデジタル／アナログ変換器（Ｄ／Ａ変換器、ＤＡＣ）２１を備えている。Ｄ／Ａ変換器２１は、デジタル信号処理部１２から与えられるデジタルのベースバンド信号をアナログのベースバンド信号に変換する。
【００２８】
また、無線送受信部２０は、Ｄ／Ａ変換器２１が変換したアナログのベースバンド信号を直交変調するとともに無線周波数にアップコンバートする直交変調器２２と、直交変調器２２によって無線周波数とされた無線周波数信号（送信信号）を増幅する高出力増幅器（ＨＰＡ）２４と、アンテナ素子１４が接続されアンテナ素子１４による信号の送受信を切り替えるデュプレクサ２５とを備えている。
【００２９】
高出力増幅器２４は、送信信号である直交変調器２２からの無線周波数信号を増幅し、デュプレクサ２５に与える。増幅された無線周波数信号は、デュプレクサ２５に接続されたアンテナ素子１４から空中に放射され送信される。
このように、デジタル信号処理部１２から与えられたデジタルのベースバンド信号（送信信号）は、Ｄ／Ａ変換器２１によってアナログ信号に変換された後、直交変調器２２によってアナログの無線周波数信号とされ、高出力増幅器２４によって増幅されてアンテナ素子１４から送信される。
【００３０】
さらに無線送受信部２０は、デュプレクサ２５からデジタル信号処理部１２までの間に、アンテナ素子１４が受信したアナログの無線周波数信号を増幅する低雑音増幅器（ＬＮＡ）２６と、低雑音増幅器２６が出力するアナログの信号を直交復調するとともにベースバンド周波数にダウンコンバートすることでアナログのベースバンド信号（受信信号）を出力する第１直交復調器２７と、第１直交復調器２７が出力するアナログのベースバンド信号をアナログ／デジタル変換し、デジタルのベースバンド信号をデジタル信号処理部１２に与える第１アナログ／デジタル変換器（第１Ａ／Ｄ変換器、ＡＤＣ）２８とを備えている。
【００３１】
アンテナ素子１４によって受信されたアナログの無線周波数信号は、低雑音増幅器２６により増幅され、第１直交復調器２７によってアナログのベースバンド信号とされた後、第１Ａ／Ｄ変換器３２によってデジタルのベースバンド信号（受信信号）とされて、デジタル信号処理部１２に与えられる。
【００３２】
以上のようにして、無線送受信部２０は、デジタル信号処理部１２から与えられる信号を無線周波数信号として送信し、かつアンテナ素子１４によって受信される無線周波数信号をベースバンド信号としてデジタル信号処理部１２に与えることができる。
【００３３】
また、無線送受信部２０は、高出力増幅器２４とデュプレクサ２５との間に設けられたカプラ３０を通じて高出力増幅器２４の出力信号が帰還信号として与えられ第２直交復調器３１と、第２アナログ／デジタル変換器（ＡＤＣ）３２とを備えている。
第２直交復調器３１は、高出力増幅器２４の出力信号をベースバンド信号とし、第２Ａ／Ｄ変換器３２に与える。
第２Ａ／Ｄ変換器３２は、上記ベースバンド信号をデジタル信号に変換し、デジタル信号処理部１２に与える。
このように、デジタル信号処理部１２は、高出力増幅器２４の出力信号を帰還信号として取得し、取得した出力信号をＤＰＤ処理に用いる。
【００３４】
さらに、無線送受信部２０は、直交変調器２２と高出力増幅器２４との間に、可変利得増幅器（ＶＧＡ）２３が設けられている。
この可変利得増幅器２３は、後述するデジタル信号処理部１２が有する制御部４５（図３参照）によって制御され、Ｄ／Ａ変換器２１から出力され直交変調器２２によって無線周波数信号とされたアナログ信号の振幅調整を行うように構成されている。
【００３５】
図３は、デジタル信号処理部１２の構成を示すブロック図である。
デジタル信号処理部１２は、プロセッサや、記憶部、入出力部等を備えたマイコンによって構成されている。前記記憶部には、デジタル信号処理部１２が有する機能を実現するための各種コンピュータプログラムが記憶されている。デジタル信号処理部１２は、これらコンピュータプログラムを実行することで、以下に説明する各機能を実現することができる。
【００３６】
図に示すように、デジタル信号処理部１２は、送受信処理部４０を備えている。この送受信処理部４０は、ベースバンド信号処理部４からＩＦ部１１を介して与えられる送信信号としてのベースバンド信号を各無線送受信部２０に分配し与えるとともに、各無線送受信部２０から与えられるベースバンド信号を結合してベースバンド信号処理部４に与える機能を有している。
【００３７】
送受信処理部４０と、各Ｄ／Ａ変換器２１との間には、ＣＦＲ処理部４１と、ＤＰＤ処理部４２とが設けられている。
ＣＦＲ処理部４１は、デジタル信号処理であるＣＦＲ処理をＤ／Ａ変換器２１に与えられる前のデジタルのベースバンド信号（送信信号）に対して行う。
ＤＰＤ処理部４２は、第２Ａ／Ｄ変換器３２から与えられる高出力増幅器２４の出力信号を帰還信号として用いてＤＰＤ処理を行う。ＤＰＤ処理部４２は、デジタル信号処理であるＤＰＤをＤ／Ａ変換器２１に与えられる前のデジタルのベースバンド信号（送信信号）に対して行う。
【００３８】
ＣＦＲ処理部４１及びＤＰＤ処理部４２は、送受信処理部４０と、各Ｄ／Ａ変換器２１との間に設けられることで、無線送受信部２０それぞれに対応して設けられている。よって、デジタル信号処理部１２は、無線送受信部２０ごとに独立してＣＦＲ処理及びＤＰＤ処理を行うことができる。
【００３９】
さらに、デジタル信号処理部１２は、各無線送受信部２０に与える、デジタルのベースバンド信号（送信信号）の位相調整を行う第１位相調整部４３と、各無線送受信部２０から与えられる、デジタルのベースバンド信号（受信信号）の位相調整を行う第２位相調整部４４とを備えている。
【００４０】
第１位相調整部４３は、無線送受信部２０に与えるベースバンド信号の位相調整を行うことで、アンテナ素子１４から送信されるアナログの無線周波数信号の位相調整を行うことができる。
第１位相調整部４３は、送受信処理部４０と、各ＣＦＲ処理部４１との間に設けられており、無線送受信部２０それぞれに対応して設けられている。よって、デジタル信号処理部１２は、各無線送受信部２０に与えるベースバンド信号の位相調整を無線送受信部２０ごとに独立して行うことができる。
【００４１】
第２位相調整部４４は、無線送受信部２０から与えられるベースバンド信号の位相調整を行うことで、アンテナ素子１４が受信した信号の位相調整を行うことができる。
第２位相調整部４４は、各無線送受信部２０の第１Ａ／Ｄ変換器２８と、送受信処理部４０との間に設けられており、無線送受信部２０それぞれに対応して設けられている。よって、デジタル信号処理部１２は、各無線送受信部２０から与えられるベースバンド信号の位相調整を無線送受信部２０ごとに独立して行うことができる。
【００４２】
デジタル信号処理部１２は、第１位相調整部４３及び第２位相調整部４４を制御する制御部４５を備えている。
制御部４５は、第１位相調整部４３による位相調整量、及び第２位相調整部４４による位相調整量を制御する。また、制御部４５は、各第１位相調整部４３及び各第２位相調整部４４を独立して制御することができるように構成されている。
【００４３】
これによって、制御部４５は、アンテナ素子１４によって送受信される無線周波数信号における位相を各アンテナ素子１４ごとに調整することができ、アナログの無線周波数信号を複数のアンテナ素子１４から送信することによって形成されるビームが所定形状となるように、第１位相調整部４３による位相調整量、及び第２位相調整部４４による位相調整量を制御する。
【００４４】
また、制御部４５は、各無線送受信部２０の可変利得増幅器２３に対して制御信号を与え、可変利得増幅器２３によるアナログの無線周波数信号に対する振幅調整量を制御する。また、制御部４５は、各無線送受信部２０の可変利得増幅器２３を独立して制御するように構成されている。
【００４５】
複数のアンテナ素子１４によって形成されるビームの形状は、各アンテナ素子１４にて送受信される信号の位相によって設定される。よって、制御部４５は、所定のビーム形状を得るために、主として、各第１位相調整部４３による位相調整量、及び各第２位相調整部４４による位相調整量を制御する。
【００４６】
また、各アンテナ素子１４から送信される信号の振幅は、主として、サイドローブに大きく影響を与える。よって、制御部４５は、サイドローブを抑圧されるように、各無線送受信部２０の可変利得増幅器２３を制御する。
【００４７】
制御部４５は、各第１位相調整部４３の位相調整量及び各可変利得増幅器２３の振幅調整量を制御することで、複数のアンテナ素子１４それぞれから送信される信号の位相及び振幅を調整し、信号送信時において所定のビームが形成されるように適切にビーム制御を行うことができる。
また、制御部４５は、各第２位相調整部４４の位相調整量を制御することで、複数のアンテナ素子１４それぞれで受信される信号の位相を調整し、信号受信時において所定のビームが形成されるように適切にビーム制御を行うことができる。
【００４８】
制御部４５は、ビーム制御を行うことで、送信時と受信時でセルの大きさが異なるように設定したり、アンテナシステム１０が形成するセル内において当該アンテナシステム１０を中心とした同心円状にセクタを分けたりすることができる。
【００４９】
制御部４５は、ビームの設定に関する情報を予め記憶部に記憶しておき、その記憶した情報に基づいて、ビームを制御することができる。また制御部４５は、ビームの設定に関する命令を外部から受け付け、この命令に基づいて、ビームを制御することもできる。
【００５０】
上記構成のアンテナシステム１０によれば、Ｄ／Ａ変換器２１によってデジタル信号（デジタルのベースバンド信号）からアナログ信号（アナログのベースバンド信号）に変換され、さらに無線周波数信号とされた信号に対して振幅調整を行うので、振幅調整をデジタル信号処理で行った場合のように、ダイナミックレンジを広く確保するためにビット数のより大きいＤ／Ａ変換器２１を用いる必要がない。
このため、振幅調整をデジタル信号処理によって行う場合と比較してより小さいビット数のＤ／Ａ変換器２１を用いることができ、この結果、低コスト化が可能となる。
また、上記構成のアンテナシステム１０は、振幅調整部としての可変利得増幅器２３を備えていることから振幅制御を行うことでサイドローブを抑圧することができ、適切なビーム制御を行うことができる。
以上のように、上記構成のアンテナシステム１０によれば、適切なビーム制御を実現しつつ、低コスト化が可能となる。
【００５１】
なお、本発明は、上記実施形態に限定されるものではない。
例えば、上記実施形態では、可変利得増幅器２３を用いてアンテナ素子１４から送信される信号の振幅を調整した場合を示したが、アナログの信号の振幅を任意に調整することができれば、振幅調整部として用いることができる。
【００５２】
また、上記実施形態では、振幅調整部として可変利得増幅器２３を用いたが、例えば、可変減衰器等、信号の振幅を調整できるデバイスを用いることができる。
また、上記実施形態では、振幅調整部としての可変利得増幅器２３を振幅調整部としての可変利得増幅器２３を直交変調器２２と、高出力増幅器２４との間に設けたが、振幅調整部は、Ｄ／Ａ変換器２１の後段であって、他のデバイスに影響を与えない部分であれば、いずれの部分に設けてもよい。
【００５３】
また、上記実施形態では、アンテナ素子１４による信号の送受信を切り替えるためにデュプレクサ２５を用いることでＦＤＤ（Ｆｒｅｑｕｅｎｃｙ  Ｄｉｖｉｓｉｏｎ  Ｄｕｐｌｅｘ）による無線通信に対応した構成とした場合を例示したが、図４に示すように、デュプレクサ２５に代えて送受信切替スイッチ（Ｔ／Ｒ  ＳＷ）５０を用い、ＴＤＤ（Ｔｉｍｅ  Ｄｉｖｉｓｉｏｎ  Ｄｕｐｌｅｘ）による無線通信に対応した構成とすることもできる。
【００５４】
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【００５５】
１  無線基地局装置
２  基地局本体
３  信号伝送路
４  ベースバンド信号処理部
５  ＩＦ部
１０  アンテナシステム
１１  ＩＦ部
１２  デジタル信号処理部
１３  アナログ信号処理部
１４  アンテナ素子
２０  無線送受信部
２１  デジタル／アナログ変換器
２２  直交変調器
２３  可変利得増幅器
２４  高出力増幅器
２５  デュプレクサ
２６  低雑音増幅器
２７  第１直交復調器
２８  第１アナログ／デジタル変換器
３０  カプラ
３１  第２直交復調器
３２  第２アナログ／デジタル変換器
４０  送受信処理部
４１  ＣＦＲ処理部
４２  ＤＰＤ処理部
４３  第１位相調整部
４４  第２位相調整部
４５  制御部
５０  送受信切替スイッチ
【図１】
2015186031.tif 000003
【図２】
2015186031.tif 000004
【図３】
2015186031.tif 000005
【図４】
2015186031.tif 000006